(57)【要約】【課題】ユーザへ効率よく文字入力を行わせることが可能な文字入力装置を提供する。【解決手段】PersonName携帯電話機１において文字入力がなされる際、表示部６のカーソル上にある文字の種類が入力されると判断する制御部１１０を備える。この制御部１１０は、テンキー４より入力を受け付けたとき、先ほど判断した文字の種類で、入力された文字を表示部６に表示させる。【選択図】図３
2009230727.tif 000002
【特許請求の範囲】
【請求項１】
表示部と、複数種類の文字が割り当てられている入力部と、前記入力部の操作に対して前記複数種類の文字のうちいずれか１種の文字を前記表示部に表示させる表示制御部と、
を備え、
前記表示制御部は、前記表示部に表示されている文字の１つが選択された状態で前記入力部が操作された場合に、当該入力部に割り当てられている文字のうち前記選択されている前記１つの文字と、同じ種類の文字を前記表示部に表示させる、
ことを特徴とする文字入力装置。
【請求項２】
前記表示制御部は、前記選択されている文字の種類を報知する報知部を有する
ことを特徴とする請求項１に記載の文字入力装置。
【請求項３】
前記表示制御部は上書きモードを有し、当該上書きモードが設定されている場合には、前記選択されている文字と同じ種類の文字を前記表示部に消去させ、前記入力部の操作に応じて選択された種類の文字を前記表示部に表示させる、
ことを特徴とする請求項１または請求項２に記載の文字入力装置。
【請求項４】
表示部と、複数の種類の文字を入力可能に構成される入力部と、前記複数の種類のうち設定されている種類の文字を前記入力部での入力動作に応じて前記表示部に表示することにより文字入力を行う制御部と、を備え、
前記制御部は、前記表示部に表示されている文字が選択された状態で前記入力部により前記文字の入力動作が行われると、前記選択されている文字の種類に応じた文字入力を行う
ことを特徴とする文字入力装置。
【請求項５】
前記制御部は、上書きにより文字入力を行う上書きモードと、挿入により文字入力を行い挿入モードと、を選択可能に構成され、前記上書きモードが選択されている場合に、前記選択されている文字の種類に応じた文字入力を行う
ことを特徴とする請求項４に記載の文字入力装置。
【請求項６】
前記複数の種類のうち前記入力部での入力動作により文字入力が行われる文字の種類を報知する報知部を有する
ことを特徴とする請求項４又は５に記載の文字入力装置。
【請求項７】
前記制御部は、前記表示部に表示されている複数の文字が選択された状態で前記入力部により前記文字の入力動作が行われると、前記複数の文字が同一の種類の文字である場合に選択されている複数の文字の種類に応じた文字入力を行う
ことを特徴とする請求項４乃至６のいずれか１項に記載の文字入力装置。
【請求項８】
前記制御部は、引用文が含まれる文章の作成時に、前記表示部に表示されている前記引用文中の文字が選択された状態で前記入力部により前記文字の入力動作が行われると、前記選択されている文字の種類に応じた文字入力を行う
ことを特徴とする請求項４乃至７のいずれか１項に記載の文字入力装置。
【発明の詳細な説明】
【技術分野】
【０００１】
本発明は、入力動作に応じて文字入力を行う文字入力装置に関する。
【背景技術】
【０００２】
近年、携帯電話機などの電子機器は、例えばインターネット検索機能、メール作成機能及び文章作成機能などの各種機能での文字の入力が可能に構成されている。
【０００３】
例えば、図１０に示される携帯電話機においては、キー操作部のテンキーに複数種類の文字が割り当てられており、このテンキーでの文字入力操作により所望の種類の文字を入力可能とされている。このような文字入力の効率を向上させる技術が従来より提案されている（例えば特許文献１）。
【特許文献１】特開２００７−２５１６７０
【発明の開示】
【発明が解決しようとする課題】
【０００４】
しかしながら、従来の文字入力装置は、入力文字の種類を切り替える際には文字種の設定をその都度変更する必要があるなどの理由により、入力文字の種類の設定を容易に行うことができないと言った問題があった。
【０００５】
本発明は、かかる問題を解決するためになされたものであり、容易な文字入力を可能とした文字入力装置を提供することを目的とする。
【課題を解決するための手段】
【０００６】
この問題を解決するために、本発明に係る文字入力装置は、表示部と、複数種類の文字が割り当てられている入力部と、前記入力部の操作に対して前記複数種類の文字のうちいずれか１種の文字を前記表示部に表示させる表示制御部と、を備え、前記表示制御部は、前記表示部に表示されている文字の１つが選択された状態で前記入力部が操作された場合に、当該入力部に割り当てられている文字のうち前記選択されている前記１つの文字と、同じ種類の文字を前記表示部に表示させる、ことを特徴とする。
【０００７】
更に好適には、前記表示制御部は、前記選択されている文字の種類を報知する報知部を有することを特徴とする。
【０００８】
更に好適には、前記表示制御部は上書きモードを有し、当該上書きモードが設定されている場合には、前記選択されている文字と同じ種類の文字を前記表示部に消去させ、前記入力部の操作に応じて選択された種類の文字を前記表示部に表示させる、ことを特徴とする。
さらに、別の本発明に係る文字入力装置は、表示部と、複数の種類の文字を入力可能に構成される入力部と、前記複数の種類のうち設定されている種類の文字を前記入力部での入力動作に応じて前記表示部に表示することにより文字入力を行う制御部と、を備え、前記制御部は、前記表示部に表示されている文字が選択された状態で前記入力部により前記文字の入力動作が行われると、前記選択されている文字の種類に応じた文字入力を行うことを特徴とする。
【０００９】
好適には、前記表示制御部は、上書きにより文字入力を行う上書きモードと、挿入により文字入力を行い挿入モードと、を選択可能に構成され、前記上書きモードが選択されている場合に、前記選択されている文字の種類に応じた文字入力を行うことを特徴とする。
【００１０】
好適には、前記複数の種類のうち前記入力部での入力動作により文字入力が行われる文字の種類を報知する報知部を有することを特徴とする。
【００１１】
好適には、前記表示制御部は、前記表示部に表示されている複数の文字が選択された状態で前記入力部により前記文字の入力動作が行われると、前記複数の文字が同一の種類の文字である場合に選択されている複数の文字の種類に応じた文字入力を行うことを特徴とする。
【００１２】
好適には、前記制御部は、引用文が含まれる文章の作成時に、前記表示部に表示されている前記引用文中の文字が選択された状態で前記入力部により前記文字の入力動作が行われると、前記選択されている文字の種類に応じた文字入力を行うことを特徴とする。
【発明の効果】
【００１３】
本発明によれば、文字入力を容易に行うことができ、使い勝手の良い文字入力装置を提供することが可能となる。
【発明を実施するための最良の形態】
【００１４】
以下、添付図面を参照して、本発明の実施の形態を詳細に説明する。
【００１５】
なお、本発明の文字入力装置の１つの実施形態として２つ折りタイプの携帯電話機について説明するものの、本発明は、これに限定されるものではなく、例えば、ＰＤＡ（Ｐｅｒｓｏｎａｌ  Ｄｉｇｉｔａｌ  Ａｓｓｉｓｔａｎｔ）、ポータブルナビゲーション装置、パーソナルコンピュータ等の、文字入力が可能な文字入力装置であればよい。
【００１６】
図１は、本発明の文字入力装置の実施の形態の一つである携帯電話機１の外観の一例を示している。携帯電話機１は、表示部６及び受話用スピーカ１１を有する第１筐体２と入力部３及び送話用マイク１２を有する第２筐体３と両筐体を回転可能に連結する連結部を有して構成される。
表示部６は、例えばＬＣＤ（Ｌｉｑｕｉｄ  Ｃｒｙｓｔａｌ  Ｄｉｓｐｌａｙ）や有機ＥＬディスプレイ（ｏｒｇａｎｉｃ  ｅｌｅｃｔｒｏｌｕｍｉｎｅｓｃｅｎｃｅ  ｄｉｓｐｌａｙ）などの表示器で構成され、所定の文字情報や画像情報等を画面上に表示する。入力部（操作部）３は、ダイヤル発信時や文章作成時などのように数字や記号などを含む文字の入力時に使用するテンキー４と、４方向での入力操作が可能な方向キー５、及び方向キー５の中心に位置する決定キー５ａ、機能キー５ｂ、５ｃを備えて構成されている。なお、方向キー５の周囲に配置されている機能キー５ｂ、５ｃは、メール機能、アドレス帳機能、インターネット接続機能、電源機能などの各種機能が割り当てられて、各種機能の操作時に操作される。また、これら機能キー５ｂ、５ｃは、決定キー５ａとともに、表示部６の画面下方にメニュー項目として表示されるソフトキー８ａ、８ｂ、８ｃを選択する際の選択操作キーとして機能する。例えば、図１に示されるように、表示部６の画面下方中央に「決定」の選択項目が表示されている状態では、決定キー５ａの押下操作によって決定動作が行われる。
【００１７】
図２は、本実施の形態に係る携帯電話機１の機能的な構成を示すブロック図である。制御部１１０は、通信部２０３にアンテナ２０１を介した他の通信装置との通信を行わせ、音声処理部１０４にマイク２１８にて入力された音声の入力処理やスピーカ２０９からの音声出力処理を行わせ、記憶部１０８に各種情報を記憶させる。また、制御部１１０は、記憶部１０８に記憶されている各種プログラムを起動することにより、メール機能、アドレス帳機能、スケジュール機能、Ｗｅｂ接続機能、音楽再生機能などの各種機能を実行可能とされている。そして、表示部６は、通信部２０３での通信により取得された情報や入力部３により入力された入力情報や記憶部１０８に記憶されている記憶情報などの情報を表示可能とされ、制御部１１０は、表示制御部として、表示部６に表示される文字情報や画像情報などの各種情報の表示を制御する。
【００１８】
また、記憶部１０８は、制御部１１０によって利用される。例えば、記憶部１０８は、制御部１１０によってプログラムが実行されるとき、制御部１１０によって計算途中のデータ等を記憶する。また、記憶部１０８は、通信部２０３が有する受信部と送信部との間でデータ移動するとき、そのデータを記憶する。
【００１９】
記憶部１０８は、不揮発性のメモリと揮発性のメモリ（いずれも不図示）を有する。不揮発性のメモリは、携帯電話機の電源が切られても、例えば、その直前の設定条件等を記憶することが可能である。そして、不揮発性のメモリは、次に電源が入れられたとき、その設定条件等の情報を制御部１１０へ渡す。従って、ユーザは、電源が切られたときと同じ設定条件等の情報を、電源が入れられた時に利用することが可能となる。つまり、不揮発性のメモリは、ユーザに対して利便性を提供可能である。また、記憶部１０８には、表示部６に表示される文字（記号や絵文字などを含む）の異なるフォントや異なるサイズなどの複数の文字種データや文字入力時の単語候補及びフレーズ候補等の入力候補データなどが格納されている。
【００２０】
入力部３は、記号や絵文字などを含む文字の入力操作時に操作されるテンキー４と、選択操作や移動操作時に操作される方向キー５と、決定キー５ａと、各種機能キー５ｂ、５ｃとを備えている。テンキー４には、１つのキーに１つの数字と複数のひらがなと複数のアルファベットとがわりあてられており、例えば、テンキー「２」には、数字の「２」、ひらがなの「か、き、く、け、こ」、アルファベットの「Ａ、Ｂ、Ｃ」が割り当てられている。これらのテンキー４を用いて文字入力を行う際には、例えば、機能キー５ｃの押下操作によって入力したい所望の文字種を選択して入力文字種を設定（変更）することが可能となる。そして、連続入力された文字を漢字などに変換する際には、方向キー５での選択操作及び決定キー５ａでの決定操作によって変換したい文字を選択することによって入力文字を決定することが出来る。
【００２１】
また、方向キー５は、上述した文字入力時の変換候補の選択操作だけでなく、表示部６に表示されている画面上の選択項目の選択や入力位置の移動などを行う際に操作される。そして、制御部１１０は、文字の入力処理時に文字の入力位置示すカーソルを表示部６に表示させ、方向キー５の操作によってカーソルの表示位置を方向キー５の操作方向に沿って移動させることにより、文字の入力位置を任意に変更させることが出来る。例えば、図１の示されている方向キー５のうち図面上側を指し示している方向キー５が押下されたとき、カーソルは表示部６の上へ移動する。同様に、方向キー５のうち図面左側を指し示している方向キー５が押下されたとき、カーソルは表示部６の上へ移動する。同じく、方向キー５のうち図面下側または右側を指し示している方向キー５が押下されたとき、カーソルは表示部６の下または右へ移動する。そして、表示されるカーソルによって文字の入力位置が決定された状態で、テンキー４が操作されると、カーソル位置からの文字入力が行われる。
【００２２】
例えば、機能キー５ｃの操作によって入力文字種として「かな入力」が選択（設定）された状態で、テンキー４が連続押下されることによって「あい」と入力された後、方向キー５の下キーが押下されることによって「藍」「相」「哀」「愛」・・・と未確定状態の変換文字が表示される。そして、ユーザの所望の入力文字（今回の例では「愛」とする）が、未確定状態の変換文字として表示部６へ表示されたとき、決定キー５ａが押下されることによって「愛」という文字の入力が確定される。
【００２３】
そして、本実施の形態に係る携帯電話機における文字入力処理では、機能キー５ｃの操作により、数字、ひらがな、カタカナ、英字などの入力文字種を任意に変更（設定）することができるとともに、表示部６に表示されている文字から少なくとも１つの文字をカーソルで選択した状態でテンキー４を用いて入力した場合に、選択されている文字と同じ文字種の入力を行うことが可能とされている。なお、本実施形態での文字とは、数字、ひらがな、カタカナ、漢字及びアルファベットなどの文字だけでなく、「＃」及び「？」といった記号や絵文字なども含むものとする。
【００２４】
図３は、本実施の形態に係る携帯電話機における文字入力処理を示すフローチャートである。
【００２５】
制御部１１０は、入力部３で所定の操作が行われることによって、例えばメモ帳機能またはメール作成機能等を起動させる。例えば、待ち受け状態での決定キー５ａの押下によりメニュー選択機能が実行されて、表示部６に表示されるメニュー画面から方向キー５の操作によって所望の機能が選択されて起動される。または、機能キー５ｂ、５ｃの押下操作によって所望の機能が起動される。そして、メモ帳機能やメール機能などの文字入力を伴う機能が起動されると、表示部６に文字の入力画面又は編集画面が表示されて、図３〜５に示される文字入力処理が実行される。
【００２６】
まず、入力部３であるテンキー４のいずれかのキーが押下されたか否かを判定する（ステップＳ３０１）。いずれのテンキー４も押下されないとき（ステップＳ３０１／Ｎｏ）には、ステップＳ３０１の判定をテンキー４のいずれかのキーが押下されるまで繰り返す。ステップＳ３０１にていずれかのテンキー４が文字入力のために押下されたと判定される（ステップＳ３０１／Ｙｅｓ）と、制御部１１０は、表示部６に表示されている文字入力画面（又は編集画面）上で文字入力位置を示すカーソルによって画面上に表示されている文字が選択されているか否かを判定する（ステップＳ３０２）。
【００２７】
制御部１１０は、テンキー４が押下されたときにカーソルによって表示中のいずれの文字も選択されていないと判定する（ステップＳ３０２／Ｙｅｓ）と、カーソルの表示位置を文字入力開始位置として押下されたテンキー４に割り当てられている文字を表示して文字入力を行う。この場合、テンキー４に割り当てられている「数字」、「漢字（かな）」、「全角英字」又は「半角英字」などの複数の文字種のうち、デフォルトで設定されている所定の文字種である「漢字（かな）」の文字がテンキー４の押下に応じて順次表示されて入力される。または、機能キー５ｃの押下操作によってユーザーにより選択(設定)された所望の文字種の文字が同様に表示されて入力される（ステップＳ３０３）。次に、入力された文字に対する変換操作が行われた否かを判定する（ステップＳ３０４）。変換操作なしと判定されると、ステップＳ３０１に戻り、連続する文字入力のためのテンキー４の押下操作を同様に待つ。逆にステップＳ３０４にて、方向キー５の下方向が押下されて入力文字の変換操作がありと判定された場合には、文字変換候補を表示部６の下欄に複数表示する（ステップＳ３０５）。次に、文字変換の確定操作が行われたか否かを判定し（ステップｓ３０６）、変換確定がなされていないと判定されると、ステップＳ３０４に戻り、表示されている文字変換候補の何れかが選択されて決定キー５ａの押下操作により文字変換候補が決定されたと判定すると、ステップＳ３０７に進み、選択された変換候補を入力文字として確定し、表示部６の画面上に表示した後、ステップＳ３０１に戻る。
【００２８】
また、制御部１１０は、ステップＳ３０２で、文字入力操作が行われたときに、カーソルにより表示されている文字の何れかが選択されていると判定されると、ステップＳ３０８に進み、選択されている文字が、「漢字（かな）」であるか否かを判定する。このステップＳ３０８にて、選択されている文字が「漢字（かな）」であると判定すると、ステップＳ３０９に進み、この選択されている文字と同じ文字種である「漢字（かな）」を入力文字の文字種として設定し、カーソルの表示位置を文字入力開始位置として押下されたテンキー４に割り当てられている「漢字（かな）」の文字を表示する。そして、ステップＳ３０４に進み、上述したステップＳ３０４〜３０７の変換処理を実行する。
【００２９】
次に、制御部１１０は、ステップＳ３０８にて、選択されている文字が「漢字（かな）」でないと判定すると、図４に示されるステップＳ３１０に進む。このステップＳ３１０では、選択されている文字が「全角カタカナ」であるか否かを判定する。このステップＳ３１０にて、選択されている文字が「全角カタカナ」であると判定されると、ステップＳ３１１に進み、この選択されている文字と同じ文字種である「全角カタカナ」を入力文字の文字種として設定し、カーソルの表示位置を文字入力開始位置として押下されたテンキー４に割り当てられている「全角カタカナ」の文字を表示する。そして、ステップＳ３０４に進み、上述したステップＳ３０４〜３０７の変換処理を実行する。
【００３０】
次に、制御部１１０は、ステップＳ３１０にて、選択されている文字が「全角カタカナ」でないと判定すると、ステップＳ３１２に進み、選択されている文字が「半角カタカナ」であるか否かを判定する。このステップＳ３１２にて、選択されている文字が「半角カタカナ」であると判定されると、ステップＳ３１３に進み、この選択されている文字と同じ文字種である「半角カタカナ」を入力文字の文字種として設定し、カーソルの表示位置を文字入力開始位置として押下されたテンキー４に割り当てられている「半角カタカナ」の文字を表示する。そして、ステップＳ３０４に進み、上述したステップＳ３０４〜３０７の変換処理を実行する。
【００３１】
次に、制御部１１０は、ステップＳ３１２にて、選択されている文字が「半角カタカナ」でないと判定すると、ステップＳ３１４に進み、選択されている文字が「全角英字」であるか否かを判定する。このステップＳ３１４にて、選択されている文字が「全角英字」であると判定されると、ステップＳ３１５に進み、この選択されている文字と同じ文字種である「全角英字」を入力文字の文字種として設定し、カーソルの表示位置を文字入力開始位置として押下されたテンキー４に割り当てられている「全角英字」の文字を表示する。そして、ステップＳ３０４に進み、上述したステップＳ３０４〜３０７の変換処理を実行する。
【００３２】
次に、制御部１１０は、ステップＳ３１４にて、選択されている文字が「全角英字」でないと判定すると、図５に示されるステップＳ３１６に進む。このステップＳ３１６では、選択されている文字が「半角英字」であるか否かを判定する。このステップＳ３１６にて、選択されている文字が「半角英字」であると判定されると、ステップＳ３１７に進み、この選択されている文字と同じ文字種である「半角英字」を入力文字の文字種として設定し、カーソルの表示位置を文字入力開始位置として押下されたテンキー４に割り当てられている「半角英字」の文字を表示する。そして、ステップＳ３０４に進み、上述したステップＳ３０４〜３０７の変換処理を実行する。
【００３３】
次に、制御部１１０は、ステップＳ３１６にて、選択されている文字が「半角英字」でないと判定すると、ステップＳ３１８に進み、選択されている文字が「全角数字」であるか否かを判定する。このステップＳ３１８にて、選択されている文字が「全角数字」であると判定されると、ステップＳ３１９に進み、この選択されている文字と同じ文字種である「全角数字」を入力文字の文字種として設定し、カーソルの表示位置を文字入力開始位置として押下されたテンキー４に割り当てられている「全角数字」の文字を表示する。そして、ステップＳ３０４に進み、上述したステップＳ３０４〜３０７の変換処理を実行する。
【００３４】
次に、制御部１１０は、ステップＳ３１８にて、選択されている文字が「全角数字」でないと判定すると、選択されている文字が「半角数字」であると判定し、ステップＳ３２０に進み、この選択されている文字と同じ文字種である「半角数字」を入力文字の文字種として設定し、カーソルの表示位置を文字入力開始位置として押下されたテンキー４に割り当てられている「半角数字」の文字を表示する。そして、ステップＳ３０４に進み、上述したステップＳ３０４〜３０７の変換処理を実行する。
【００３５】
このように、本実施形態の携帯電話機１における文字入力処理では、テンキー４の押下などにより文字入力操作が行われたときに、表示部６に表示されている文字が選択されているか否かを判定し、表示されている文字がカーソルなどによって選択されていないと判定されると、予め設定されている文字種（例えば、漢字（カナ））や任意に選択された文字種での文字入力を行う。そして、文字入力操作が行われたときに、カーソルなどによって表示部６に表示されている文字が選択されている場合には、この選択されている文字と同じ文字種が自動的に選択されて、カーソルによって選択されている位置から同じ文字種での文字入力が開始されることとなる。
【００３６】
つまり、編集などにより、表示部６に表示されている文字の変更や文字の追加を行う場合には、変更する文字又は追加（挿入）する位置に表示されている文字をカーソルなどにより選択した状態で文字入力を行うことにより、入力文字の文字種がこの選択されている文字と同じ文字種に自動的に設定されて選択されている文字と同じ文字種の文字を容易に入力することができる。よって、従来、表示部６に表示されている文字と同じ文字種の文字を入力する場合には、文字種の設定（変更）操作を行った後に文字入力を行う必要があったが、本実施形態の携帯電話機１では、文字種の設定操作を特に行う必要がなく、使い勝手を向上させることが出来る。
【００３７】
なお、上述した実施形態では、入力文字の複数の文字種として、「漢字（カナ）」、「全角カタカナ」、「半角カタカナ」、「全角英字」、「半角英字」、「全角数字」又は「半角数字」のいずれかであるかを判別するように構成したが、「記号」や「絵文字」などのその他の種類の文字の判別を行うようにしてもよく、選択されている文字の種類（文字種）に応じて入力文字の文字種が設定されるように構成されればよい。また、表示部６に表示されている文字の選択構成として、カーソルにより選択される構成を例として説明したが、それ以外の構成によって表示されている文字を選択できるように構成しても良い。
【００３８】
図６〜図９は、図３〜図５において示した文字入力処理に基づく文字の入力処理を例示している。
【００３９】
図６（ａ）は、表示部６の画面上に「サイトのＵＲＬはｈｔｔｐ：／／ｘｘｘ．ｃｏｍ」と表示されている状態を示した図である。そして、表示されている各文字のうち、「サイト」は半角カタカナ、「ＵＲＬ」は全角英字、「ｈｔｔｐ：／／ｘｘｘ．ｃｏｍ」は半角英字でそれぞれ表示（入力）されている。
【００４０】
図６（ｂ）は、「サイトのＵＲＬはｈｔｔｐ：／／ｘｘｘ．ｏｍ」と表示されているときの表示部６の様子を示した図である。この状態において、「ｃ（半角英字）」が「．」と「ｏ」の間に挿入されることがユーザに欲される場合を想定する。
【００４１】
先ず、図６（ｃ）に示されるように、「．」と「ｏ」の間に文字を挿入するために、カーソルによって「ｏ」が選択（反転表示）された状態とした後に文字入力を行う。従来では、文字入力を行う際には、「漢字（かな）」などの特定の文字種が予めデフォルト設定されているため、図６（ｃ）の状態において、テンキー４の「２」キーが３回押下されると、図６（ｄ）に示されるように、表示部６のカーソル表示位置にはひらがなの「く」が入力されて表示されるため、機能キー５ｃの押下操作などにより入力文字の文字種変更設定を別途行った後に文字入力を行う必要がある。
【００４２】
これに対して、本発明にかかる携帯電話機１の文字入力処理では、図６（ｃ）に示されるように表示中の文字「ｏ」が選択された状態でテンキー４を用いた文字入力の入力動作が行われると、選択されている文字「ｏ」と同じ文字種である「半角英字」での文字入力が行われ、テンキー４の「２」キーが３回押下されることにより、図６（ｅ）に示されるように、「．」と「ｏ」の間に選択された文字「ｏ」と同じ文字種である「半角英字」の「ｃ」が挿入により入力されることとなる。
【００４３】
つまり、図３〜図５に示すフローチャートで説明したように、テンキー４（入力部）からの入力が行われた時、制御部１１０はカーソルが合わせられている（選択されている）文字の種類を識別する。そして、制御部１１０は、その文字と同種類の文字を表示部６に表示させて入力処理を実行する。図６（ｃ）においては、カーソルが合わせられていた「ｏ」は半角英字なので、制御部１１０は、テンキー４から受け付けた入力を、文字の種類を半角英字として認識する。つまり、図１を用いて説明すると、テンキー４の「２」キーは、英字の「ａ」「ｂ」「ｃ」に対応しているため、「２」キーが３回押下されると「ｃ」が表示部６へ表示される。つまり、文字の種類を切り替える動作をユーザが行う必要がなくなる。従って、この構成は、ユーザビリティを向上させるという効果を奏する。更には、図６（ｄ）において示したような入力ミスも防ぐことが可能となる。
【００４４】
図７は、本実施形態の携帯電話機１の、図６とは別の文字入力の処理形態を示した図である。
【００４５】
図７（ａ）は、「メールアドレスは、ａｂｃｄｅ＠ｚ．ｃｏｍ」と表示されているときの表示部６の様子を示した図である。なお、「メールアドレス」は全角カタカナ、「は、」は全角ひらがな、「ａｂｃｄｅ＠ｚ．ｃｏｍ」は半角アルファベットでそれぞれ記載されている。
【００４６】
図７（ｂ）は、「メールアドスは、ａｃｄｅ＠ｚ．ｃｏｍ」と表示されているときの表示部６の様子を示した図である。この状態において、「レ（全角カタカナ）」が「ド」と「ス」の間に挿入されることがユーザに欲される場合を想定する。また、「ｂ（半角アルファベット）」が「ａ」と「ｃ」の間に挿入されることがユーザに欲される場合も併せて想定する。
【００４７】
図７（ｃ）は、従来技術における図７（ｂ）の状態において、テンキー４の「９」キーが４回押下されたときの様子を示した図である。なお、このときカーソルは「ス」に合わせられているとする。なお、この従来技術は、比較することによって本発明にかかる本実施形態の説明を行うために記載したに過ぎない。また、選択されていた文字の種類は、「半角アルファベット」入力であったとする。すると、テンキー４の「９」キーが４回押下を受け付けたとき、表示部６は「ｚ（半角アルファベット）」を表示する。「レ」が「ド」と「ス」の間に入力されるためには、テンキー４の「９」キーが４回押下される前に、入力される文字の種類が変更されなければいけない。例えば、表示部６は、ソフトキー８ｂに「文字種変更」と表示し、同時に機能キー５ｂは、ソフトキー８ｂの入力を受け付けなければならない。その後、表示部６は、「漢字」「全角ひらがな」「半角カタカナ」「全角アルファベット」・・・といった、文字の種類を表示する。そして、入力部３より該当する文字の種類の選択が行われたら、その文字の種類が用いられる。
【００４８】
図７（ｄ）は、本発明にかかる携帯電話機１の実施形態を示した図である。全角カタカナである「ス」にカーソルが合わせられたときの様子を示している。
【００４９】
図７（ｅ）は、図７（ｄ）で示された状態において、テンキー４の「９」キーが４回押下されたあとの様子を示す図である。図３、図４及び図５のフローチャートで示したように、テンキー４（入力部）からの入力が行われた時、制御部１１０はカーソルが合わせられている文字の種類を識別する。そして、表示部６は、その文字と同種類の文字を出力する。図７（ｅ）においては、カーソルが合わせられていた「ス」は全角カタカナなので、制御部１１０は、テンキー４から受け付けた入力を、文字の種類を全角カタカナとして認識する。つまり、図１を用いて説明すると、テンキー４の「９」キーは、カタカナの「ラ」「リ」「ル」「レ」「ロ」に対応しているため、「９」キーが４回押下されると「レ」が表示部６へ表示される。つまり、文字の種類を切り替える動作をユーザが行う必要がなくなる。従って、この構成は、ユーザビリティを向上させるという効果を奏する。更には、図７（ｃ）において示したような入力ミスも防ぐことが可能となる。
【００５０】
再び図７（ｃ）の説明を行う。図７（ｃ）は、従来技術における図７（ｂ）の状態において、テンキー４の「２」キーが２回押下されたときの様子を示した図である。なお、このときカーソルは「ｃ」に合わせられているとする。また、選択されていた文字の種類は、「半角数字」入力であったとする。すると、テンキー４の「２」キーが２回押下を受け付けたとき、表示部６は「２２（半角数字）」を表示する。「ｂ」が「ａ」と「ｃ」の間に入力されるためには、テンキー４の「２」キーが２回押下される前に、入力される文字の種類が変更されなければいけない。例えば、表示部６は、ソフトキー８ｂに「文字種変更」と表示し、同時に機能キー５ｂは、ソフトキー８ｂの入力を受け付けなければならない。その後、表示部６は、「漢字」「全角ひらがな」「半角カタカナ」「全角アルファベット」・・・といった、文字の種類を表示する。そして、入力部３より該当する文字の種類の選択が行われたら、その文字の種類が用いられる。
【００５１】
再び図７（ｄ）の説明を行う。図７（ｄ）は、本発明にかかる携帯電話機１の実施形態を示した図である。半角アルファベットである「ｂ」にカーソルが合わせられたときの様子を示している。
【００５２】
図７（ｅ）は、図７（ｄ）で示された状態において、テンキー４の「２」キーが２回押下されたあとの様子を示す図である。図３、図４及び図５のフローチャートで示したように、テンキー４（入力部）からの入力が行われた時、制御部１１０はカーソルが合わせられている文字の種類を識別する。そして、表示部６は、その文字と同種類の文字を出力する。図７（ｅ）においては、カーソルが合わせられていた「ｂ」は半角アルファベットなので、制御部１１０は、テンキー４から受け付けた入力を、文字の種類を半角アルファベットとして認識する。つまり、図１を用いて説明すると、テンキー４の「２」キーは、半角アルファベットの「ａ」「ｂ」「ｃ」に対応しているため、「２」キーが２回押下されると「ｂ」が表示部６へ表示される。つまり、文字の種類を切り替える動作をユーザが行う必要がなくなる。従って、この構成は、ユーザビリティを向上させるという効果を奏する。更には、図７（ｃ）において示したような入力ミスも防ぐことが可能となる。
【００５３】
図８は、本実施形態での携帯電話機１の、図６及び図７とは別の文字入力の処理形態を示した図である。
【００５４】
図８（ａ）は、「電話番号は、０９０−１２３４−８８●８」と表示されているときの表示部６の様子を示した図である。なお、「電話番号は、」は全角ひらがな、「０９０−１２３４−８８●８」は全角ひらがなでそれぞれ記載されている。
【００５５】
図８（ｂ）は、「電話番号、０９０−１３４−８８●８」と表示されているときの表示部６の様子を示した図である。この状態において、「は（全角ひらがな）」が「号」と「、」の間に挿入されることがユーザに欲される場合を想定する。また、「２（全角数字）」が「１」と「３」の間に挿入されることがユーザに欲される場合も併せて想定する。
【００５６】
図８（ｃ）は、従来技術における図８（ｂ）の状態において、テンキー４の「６」キーが１回押下されたときの様子を示した図である。なお、このときカーソルは「、」に合わせられているとする。なお、この従来技術は、比較することによって本発明にかかる本実施形態の説明を行うために記載したに過ぎない。また、選択されていた文字の種類は、「全角数字」入力であったとする。すると、テンキー４の「６」キーが１回押下を受け付けたとき、表示部６は「６（全角数字）」を表示する。「は」が「号」と「、」の間に入力されるためには、テンキー４の「６」キーが１回押下される前に、入力される文字の種類が変更されなければいけない。例えば、表示部６は、ソフトキー８ｂに「文字種変更」と表示し、同時に機能キー５ｂは、ソフトキー８ｂの入力を受け付けなければならない。その後、表示部６は、「漢字」「全角ひらがな」「半角カタカナ」「全角アルファベット」・・・といった、文字の種類を表示する。そして、入力部３より該当する文字の種類の選択が行われたら、その文字の種類が用いられる。
【００５７】
図８（ｄ）は、本発明にかかる携帯電話機１の実施形態を示した図である。全角ひらがなである「、」にカーソルが合わせられたときの様子を示している。
【００５８】
図８（ｅ）は、図８（ｄ）で示された状態において、テンキー４の「６」キーが１回押下されたあとの様子を示す図である。図３、図４及び図５のフローチャートで示したように、テンキー４（入力部）からの入力が行われた時、制御部１１０はカーソルが合わせられている文字の種類を識別する。そして、表示部６は、その文字と同種類の文字を出力する。図８（ｅ）においては、カーソルが合わせられていた「、」は全角ひらがなの一種なので、制御部１１０は、テンキー４から受け付けた入力を、文字の種類を全角ひらがなとして認識する。つまり、図１を用いて説明すると、テンキー４の「６」キーは、ひらがなの「は」「ひ」「ふ」「へ」「ほ」に対応しているため、「６」キーが１回押下されると「は」が表示部６へ表示される。つまり、文字の種類を切り替える動作をユーザが行う必要がなくなる。従って、この構成は、ユーザビリティを向上させるという効果を奏する。更には、図８（ｃ）において示したような入力ミスも防ぐことが可能となる。
【００５９】
再び図８（ｃ）の説明を行う。図８（ｃ）は、従来技術における図８（ｂ）の状態において、テンキー４の「２」キーが１回押下されたときの様子を示した図である。なお、このときカーソルは「３」に合わせられているとする。また、選択されていた文字の種類は、「半角カタカナ」入力であったとする。すると、テンキー４の「２」キーが１回押下を受け付けたとき、表示部６は「カ（半角カタカナ）」を表示する。「２」が「１」と「３」の間に入力されるためには、テンキー４の「２」キーが１回押下される前に、入力される文字の種類が変更されなければいけない。例えば、表示部６は、ソフトキー８ｂに「文字種変更」と表示し、同時に機能キー５ｂは、ソフトキー８ｂの入力を受け付けなければならない。その後、表示部６は、「漢字」「全角ひらがな」「半角カタカナ」「全角アルファベット」・・・といった、文字の種類を表示する。そして、入力部３より該当する文字の種類の選択が行われたら、その文字の種類が用いられる。
【００６０】
再び図８（ｄ）の説明を行う。図８（ｄ）は、本発明にかかる携帯電話機１の実施形態を示した図である。全角数字である「３」にカーソルが合わせられたときの様子を示している。
【００６１】
図８（ｅ）は、図８（ｄ）で示された状態において、テンキー４の「２」キーが１回押下されたあとの様子を示す図である。図３、図４及び図５のフローチャートで示したように、テンキー４（入力部）からの入力が行われた時、制御部１１０はカーソルが合わせられている文字の種類を識別する。そして、表示部６は、その文字と同種類の文字を出力する。図８（ｅ）においては、カーソルが合わせられていた「３」は全角数字なので、制御部１１０は、テンキー４から受け付けた入力を、文字の種類を全角数字として認識する。つまり、図１を用いて説明すると、テンキー４の「２」キーは、数字の「２」に対応しているため、「２」キーが１回押下されると「２」が表示部６へ表示される。つまり、文字の種類を切り替える動作をユーザが行う必要がなくなる。従って、この構成は、ユーザビリティを向上させるという効果を奏する。更には、図７（ｃ）において示したような入力ミスも防ぐことが可能となる。
【００６２】
図９は、本実施形態の本実施形態での携帯電話機１の、図６〜図８とは別の文字入力の処理形態を示した図である。図６〜図８にて説明した処理形態では、文字入力モードとして所謂「挿入モード（ｉｎｓｅｒｔ  ｍｏｄｅ）」が設定されている状態での文字入力処理について説明したが、図９に示される処理形態は、文字入力モードとして所謂「上書きモード（ｏｖｅｒｗｒｉｔｅ  ｍｏｄｅ）」が設定されている状態での文字入力処理について説明している。制御部１１０は、文字入力モードとして、「挿入モード」又は「上書きモード」を選択し、選択された入力モードに応じて文字入力処理を行う。この入力モードは、入力部（操作部）３での操作に応じて設定が変更されるように構成されているが、設定変更が行われない場合には、「挿入モード」がデフォルト設定されている。
【００６３】
図９（ａ）は、「サイトのＵＲＬは」と既に入力された後の場合の表示部６の様子を示した図である。なお、「の」及び「は」は、漢字並びにひらがな（全角）で記載されている。また、「サイト」は半角カタカナで記載されている。また、「ＵＲＬ」は、全角アルファベットで記載されている。
【００６４】
図９（ｂ）は、「サイトのＶＲＬは」とすでに入力された後の表示部６を示した図である。なお、「サイト」は半角カタカナ、「の」及び「は」はひらがな、「ＶＲＬ」は全角英字とする。この状態において、「Ｖ」が上書きされて「Ｕ」と置換されることがユーザに欲される場合を想定する。
【００６５】
図９（ｃ）は、表示部６の画面上に表示されている「サイトのＶＲＬは」の「Ｖ」がカーソル表示などによって選択されている状態を示している。
【００６６】
この図９（ｃ）に示される状態から、テンキー４の「８」キーが２回押下されると、従来では、入力文字の文字種が「漢字（かな）」にデフォルト設定されているため、図９（ｄ）に示されるように、「Ｖ」の表示位置に「ゆ」が上書きにより入力されて表示されることとなるが、本実施形態では、選択されている文字の文字種に応じて入力文字の文字種が自動的に設定されるため、テンキー４の「８」キーが２回押下されることにより、選択されていた文字「Ｖ」と同じ文字種の全角英字での文字入力が行われて、図９（ｅ）に示されるように「Ｖ」の表示位置に「Ｕ」が上書きにより入力されて表示される。
【００６７】
具体的には、図３〜図５のフローチャートで示される文字入力処理に基づき、テンキー４（入力部）からの入力が行われた時、制御部１１０はカーソルにより選択されている文字の種類を識別する。そして、表示部６は、その文字と同種類の文字を入力して表示する。図９（ｃ）においては、カーソルにより選択されていた文字「Ｖ」は全角英字の一種なので、制御部１１０は、テンキー４から受け付けた入力を、文字の種類を全角英字として認識する。つまり、図１を用いて説明すると、テンキー４の「８」キーは、アルファベットの「Ｔ」「Ｕ」「Ｖ」に対応しているため、「８」キーが２回押下されると「Ｕ」が表示部６へ表示される。つまり、文字の種類を切り替える動作をユーザが行う必要がなくなる。従って、この構成は、ユーザビリティを向上させるという効果を奏する。更には、図９（ｄ）において示したような入力ミスも防ぐことが可能となる。
【００６８】
以上、説明したように、本実施形態では、文字の入力モードとして「上書きモード」が設定されている場合であっても、表示部６に表示されている文字の種類に応じて入力文字の種類が自動的に設定され、選択されている文字と同じ文字種の入力を容易に行うことができ、ユーザへ効率よく文字入力を行わせることが可能な文字入力装置を提供することが可能となる。特に、表示部６に表示されている文章を編集する際に、編集元の文章の文字種などの表示形態を維持したままでの文字入力を容易に行うことができる。
【００６９】
さらに、表示部６に表示されて選択された文字と同じ種類の文字の入力処理が可能となり、ユーザが文章作成などの文字入力中に文字を間違えて入力してしまったとしても、ユーザは間違って入力された文字を選択して入力操作を行うことにより、所望の文字種での文字入力を容易に行うことができ、従来に比してもより少ない操作での入力修正を行うことが可能となる。
【００７０】
また、制御部１１０は、方向キー５などの操作によってカーソルが移動されて、表示中の選択される文字が変更された場合でも、変更後の選択された文字の種類を識別して、識別された文字種に応じて入力文字の文字種を設定するように構成すればよい。このように構成されることにより、表示部６は、カーソルが移動されて選択される文字が変更された場合でも、表示中の文字の種類に応じて文字入力を行うことが可能となる。
【００７１】
そして、本実施形態では、表示部６に表示されている文字がカーソルなどによって選択されると、この選択された文字の種類を識別し、図６（ｃ）又は図９（ｃ）に示されるように識別された文字種を表示部６の画面上に形成される報知部８ｄに表示することにより、ユーザに対して入力可能な文字の種類を報知する。この報知により、選択されている文字の種類を認識して、入力される文字の種類を確認しながら文字入力を行うことができ、入力操作性を向上させることが出来る。なお、本実施形態において報知部８ｄは、表示部に入力文字の種別情報（「半Ａ」「全Ａ」など）を表示するように構成したが、例えば、文字情報の表示の代わりに、表示部６のバックライトの色及びテンキー４の照明の少なくとも一方を、ひらがなであれば青色、半角数字であれば赤色と変更するようにしてもよい。また、文字情報は、スピーカ２０９から音声として報知されるように構成してもよい。仮に、入力したい文字種が異なる場合には、機能キー５ｃなどの操作によって入力文字種の変更を行うことにより、所望の文字種での文字入力を行うことができる。なお、入力文字の種類の報知方法として、表示部６の画面の一部に文字種を表示させる構成としたが、これに限定されることなく、音声などにより文字種を報知する構成としてもよい。
【００７２】
また、上述した実施形態において、選択される文字を表示するカーソルは、四角形状（選択された文字の反転表示）として説明したが、これに限定されるものではなく、例えば、カーソルは棒状の形状であっても良い。このとき、制御部１１０によって認識される文字は、棒状のカーソルの右側であっても良いし、左側であっても良い。また、本発明にかかる携帯電話機１は、棒状のカーソルの右側か左側かのどちらかが、あらかじめユーザによって選択可能な手段を有していてもよい。
【００７３】
また、上述した実施形態では、文字の入力モードの設定に関係なく、「挿入モード」であっても「上書きモード」であっても表示部６に表示されて選択されている文字と同じ種類の文字を入力する構成としたが、入力モードとして「上書きモード」が設定されている場合にのみ、選択されている文字の種類に応じた文字種により文字入力を行いように構成してもよい。この場合、上書きにより文章編集時に、編集元の文章の形態を維持したままでの文字入力を容易に行うことができ、従来に比して入力文字種の変更操作を少なくすることができ、入力操作性を向上させることができる。
【００７４】
また、上述した実施形態では、メール機能又はメモ機能における文字入力処理を例に説明したが、ウェブ機能での検索時やアドレス帳機能での登録（編集）時などのように、その他の機能での文字入力時においても同様の文字入力処理を実行可能である。
【００７５】
特に、メール機能における受信メールに対する返信メールの作成時又は転送メールの作成時やスケジュール機能でのスケジュール内容変更時のように、既に作成が完了している文章を引用して文字入力を行う場合に、引用される文章に対する編集を行う際に、引用文書の中で選択された文字の文字種に応じて入力文字の文字種を上述した文字入力処理にて設定するように構成してもよい。従って、ユーザは、引用された文章の体裁に沿った文章作成が従来に比して容易に行うことができる。つまり、元の文章の作成者（例えば、メールの送信者）の意思に合わせた文章作成が可能となり、ユーザビリティが向上するという効果が生じる。
【００７６】
また、上述した実施形態では、表示部６に表示されている文字のうちの１つの文字が選択されている場合での文字入力処理について説明したが、表示されている連続した複数の文字が選択されている場合においても同様の文字入力処理を実行することが可能である。例えば、表示部６に全角ひらがなにて表示されている「あいう」が選択されている状態でテンキー４を用いた文字入力が行われると、選択されている複数の文字「あいう」は全て同じ文字種（全角ひらがな）であるため、選択されている複数の文字の先頭の文字位置から同じ文字種による文字入力が行われるように構成すればよい。仮に、選択されている複数の文字が全て同じ文字種でない場合には、選択されている文字の文字種に関係なく、デフォルト設定や任意の設定によって予め設定されている文字種に応じて、先頭の文字位置から文字入力を行うようにすればよい。或いは、選択されている複数の文字の先頭の文字の文字種と同じ種類の文字入力を行うようにしてもよい。
【００７７】
また、上述した実施形態では、携帯電話機１での文字入力処理を例にして説明したが、携帯電話機での文字入力に限定されるものではなく、携帯電子機器やパーソナルコンピュータ等の他の電子機器のように、操作キーなどの入力動作が可能な入力部と、この入力部での入力動作に応じて入力される文字を表示する文字を表示する表示部を有する文字入力装置にも適用可能である。
【００７８】
なお、上述した実施形態では、テンキー４などの操作キーでの操作によって文字入力が行われる構成としたが、文字の入力部は操作キーに限定されることなく、その他の入力手段であってもよく、例えば、マイク等を用いた音声入力による文字入力手段であってもよい。
【００７９】
なお、上述した実施形態では、表示部６に表示されている文字が選択されていない状態で文字の入力動作が行われた場合には、デフォルト設定されている文字種「漢字（かな）」での文字入力が行われる構成として説明したが、これは「漢字（かな）」の文字種の使用頻度が一般的に高いと考えられているためである。この文字種のデフォルト設定は、ユーザが任意に変更できるように構成されていてもよい。
【００８０】
なお、本実施形態において、制御部１１０が認識する文字の種類は、ひらがな、全角カタカナ、半角カタカナ、全角アルファベット、半角アルファベット、全角数字及び半角数字であったものの、本実施形態はこれに限定されない。例えば、絵文字、半角記号及び全角記号であってもよい。
【図面の簡単な説明】
【００８１】
【図１】本実施形態における携帯電話機１が開かれた状態の正面図である。
【図２】本実施形態における携帯電話機１の主要な構成を示すブロック図である。
【図３】本実施形態における携帯電話機１の制御部１１０が行う制御を示したフローチャートである。
【図４】本実施形態における携帯電話機１の制御部１１０が行う制御を示したフローチャートである。
【図５】本実施形態における携帯電話機１の制御部１１０が行う制御を示したフローチャートである。
【図６】本発明が携帯電話機１において実施されたときの表示部６の様子を示した図である。
【図７】本発明が第２の実施形態にて携帯電話機１において実施されたときの表示部６の様子を示した図である。
【図８】本発明が第３の実施形態にて携帯電話機１において実施されたときの表示部６の様子を示した図である。
【図９】本発明が第４の実施形態にて携帯電話機１において実施されたときの表示部６の様子を示した図である。
【図１０】従来の携帯電話機が開かれた状態の正面図である。
【符号の説明】
【００８２】
１…携帯電話機
２…第１筐体
３…入力部
４…テンキー
５…方向キー
５ａ…決定キー
５ｂ…機能キー
５ｃ…機能キー
６…表示部
８ａ…ソフトキー
８ｂ…ソフトキー
８ｃ…ソフトキー
８ｄ…報知部
１１…受話口
１２…送話口
１０４…音声処理部
１０８…記憶部
１１０…制御部
２０１…アンテナ
２０３…通話部
２０９…スピーカ
２１８…マイク
【図１】
2009230727.tif 000003
【図２】
2009230727.tif 000004
【図３】
2009230727.tif 000005
【図４】
2009230727.tif 000006
【図５】
2009230727.tif 000007
【図６】
2009230727.tif 000008
【図７】
2009230727.tif 000009
【図８】
2009230727.tif 000010
【図９】
2009230727.tif 000011
【図１０】
2009230727.tif 000012